(57)【要約】【課題】用途に応じたスペクトルを示す光を放射することのできるＬＥＤ光源を実現する。【解決手段】  ＬＥＤ光源は、基板と、基板上に載置された第一ＬＥＤ素子と、基板上に載置された第二ＬＥＤ素子とを有し、第一ＬＥＤ素子は、少なくとも光取り出し面側において蛍光体を含む材料膜で被覆されることで、第一ＬＥＤ素子から射出された光が前記蛍光体を介して光取り出し面から放射可能であり、第二ＬＥＤ素子は、当該第二ＬＥＤ素子から射出された光が蛍光体を介さずに光取り出し面から放射可能である。【選択図】        図３
2016096223.tif 000002
【特許請求の範囲】
【請求項１】
基板と、前記基板上に載置された第一ＬＥＤ素子と、前記基板上に載置された第二ＬＥＤ素子とを有し、
前記第一ＬＥＤ素子は、少なくとも光取り出し面側において蛍光体を含む材料膜で被覆されることで、前記第一ＬＥＤ素子から射出された光が前記蛍光体を介して前記光取り出し面から放射可能であり、
前記第二ＬＥＤ素子は、当該第二ＬＥＤ素子から射出された光が前記蛍光体を介さずに前記光取り出し面から放射可能であることを特徴とするＬＥＤ光源。
【請求項２】
前記第一ＬＥＤ素子及び前記第二ＬＥＤ素子の前記光取り出し面側が一括して封止されていることを特徴とする請求項１に記載のＬＥＤ光源。
【請求項３】
前記第一ＬＥＤ素子から射出され前記蛍光体を介して前記光取り出し面から放射される光のスペクトル幅が、前記第二ＬＥＤ素子から射出され前記光取り出し面から放射される光のスペクトル幅よりも広いことを特徴とする請求項１又は２に記載のＬＥＤ光源。
【請求項４】
前記基板上において、前記第一ＬＥＤ素子が載置されている領域と前記第二ＬＥＤ素子が載置されている領域の間に、前記材料膜を収容するための段差部が設けられていることを特徴とする請求項１〜３のいずれか１項に記載のＬＥＤ光源。
【請求項５】
前記基板上において、前記第一ＬＥＤ素子の載置位置が前記第二ＬＥＤ素子の載置位置よりも低く構成されることで、両載置位置の間に前記段差部が形成されていることを特徴とする請求項４に記載のＬＥＤ光源。
【請求項６】
前記基板上において、前記第一ＬＥＤ素子の載置位置と前記第二ＬＥＤ素子の載置位置の間に壁部を有し、当該壁部によって前記段差部が形成されていることを特徴とする請求項４に記載のＬＥＤ光源。
【請求項７】
基板と、前記基板上に載置された第一ＬＥＤ素子と、前記基板上に載置された第二ＬＥＤ素子とを有し、
前記第一ＬＥＤ素子は、少なくとも光取り出し面側において蛍光体を含む材料膜で被覆されることで、前記第一ＬＥＤ素子から射出された光が前記蛍光体を介して前記光取り出し面から放射可能であり、
前記第二ＬＥＤ素子は、当該第二ＬＥＤ素子から射出された光が前記蛍光体を介さずに前記光取り出し面から放射可能であるＬＥＤ光源の製造方法であって、
前記基板上に、前記第一ＬＥＤ素子及び前記第二ＬＥＤ素子を、当該第一ＬＥＤ素子及び当該第二ＬＥＤ素子の間に段差部を介在させて載置する工程（ａ）と、
前記工程（ａ）の後、前記段差部に前記材料膜を充填することで、前記第二ＬＥＤ素子が載置されている領域には前記材料膜を流出させることなく前記第一ＬＥＤ素子を前記材料膜で被覆する工程（ｂ）とを備えたことを特徴とするＬＥＤ光源の製造方法。
【請求項８】
前記工程（ｂ）の後、前記第一ＬＥＤ素子及び前記第二ＬＥＤ素子の前記光取り出し面側を封止する工程（ｃ）を備えたことを特徴とする請求項７に記載のＬＥＤ光源の製造方法。
【発明の詳細な説明】
【技術分野】
【０００１】
本発明はＬＥＤ光源に関する。
【背景技術】
【０００２】
太陽エネルギーを有効に利用する一つの手段として太陽電池が知られている。実用上は、この太陽電池を複数接続してなる太陽電池モジュールによって構成された太陽電池パネルをビルや一般家屋の屋根等に設置することにより、太陽エネルギーを電気エネルギーに変換することが行われている。
【０００３】
ところで、太陽電池の出力特性を評価することは太陽電池の製造後の検査や研究開発において重要である。このため、その評価を実施するにあたり、自然太陽光のスペクトル特性に擬似したスペクトル特性を有する擬似太陽光照射装置が開発されている。この種の評価に従来から用いられている擬似太陽光照射装置として、太陽光スペクトルに近似したスペクトル特性を持つキセノンランプを用いたものが知られている（下記特許文献１参照）。しかし、光源の性質上、多大な熱が発生する上にかさ張るため、冷却等を考慮した際に照射装置コストが高くなるという欠点があった。
【０００４】
そこで、異なる発光スペクトル特性を有した複数種のＬＥＤを備え、各ＬＥＤの組み合わせ構成比率および発光強度を適宜調整することで、各ＬＥＤから放射される合成スペクトルを太陽光スペクトルに近似したものが開発されている（下記特許文献２参照）。
【先行技術文献】
【特許文献】
【０００５】
【特許文献１】特開平６−２５１８８７号公報
【特許文献２】特開２００４−１６６５１１号公報
【発明の概要】
【発明が解決しようとする課題】
【０００６】
ＬＥＤ素子は、その性質上、波長幅の狭い光を射出する。このため、異なる波長の光を射出するＬＥＤ素子を複数備えた光源を構成しても、当該光源から放射される光のスペクトルは、光強度の強い波長帯が離散的に現れる傾向にある。一方、太陽光のスペクトルは広い波長帯において一定値以上の高い光強度を示しており、いわばブロードな形状を示す。このため、ＬＥＤ素子を用いながらも太陽光のスペクトルに近い光を放射できる光源の実現が課題であった。
【０００７】
図１は、異なる波長の光を射出するＬＥＤ素子を複数備えたＬＥＤ光源から放射される光のスペクトルの一例（ａ）と、太陽光のスペクトル（ｂ）を並べて図示したものである。より詳細には、ＬＥＤ光源としては、赤色の光を射出するＬＥＤ素子、緑色の光を射出するＬＥＤ素子、及び青色の光を射出するＬＥＤ素子を備える構成を想定している。図１によれば、ＬＥＤ光源のスペクトル分布は、各ＬＥＤ素子の発光波長においては高い光強度を示すものの、隣接するピークの間においては光強度が急激に低下しており、太陽光のスペクトルと比較すると、光強度の変化が急峻になってしまっていることが分かる。
【０００８】
また、上述した擬似太陽光以外に限らず、分光器用の光源や、果物の選別機用の光源など、一般に広い波長帯において一定値以上の光強度を示す光を利用する需要が存在する。ＬＥＤ素子は、素子自体を異ならせることでその発光波長を自在に異ならせることができるため、ＬＥＤ光源によってこのようなブロードなスペクトルを示す光を実現することができれば、その応用範囲は極めて広いといえる。
【０００９】
本発明は、上記の課題に鑑みてなされたものであり、用途に応じたスペクトルを示す光を放射することのできるＬＥＤ光源を実現することを目的とする。
【課題を解決するための手段】
【００１０】
本発明のＬＥＤ光源は、
基板と、前記基板上に載置された第一ＬＥＤ素子と、前記基板上に載置された第二ＬＥＤ素子とを有し、
前記第一ＬＥＤ素子は、少なくとも光取り出し面側において蛍光体を含む材料膜で被覆されることで、前記第一ＬＥＤ素子から射出された光が前記蛍光体を介して前記光取り出し面から放射可能であり、
前記第二ＬＥＤ素子は、当該第二ＬＥＤ素子から射出された光が前記蛍光体を介さずに前記光取り出し面から放射可能であることを特徴とする。
【００１１】
上記構成によれば、第一ＬＥＤ素子から射出された光は蛍光体を介して波長変換された後、光取り出し面側から放射される。一方、第二ＬＥＤ素子から射出された光については、当該第二ＬＥＤ素子から射出された光が蛍光体を介さずに放射されるため、波長変換されることなく第二ＬＥＤ素子から射出された光が光取り出し面側から放射される。よって、ＬＥＤ光源の用途に応じて、第一ＬＥＤ素子及び第二ＬＥＤ素子の各発光波長を決定し、当該波長の光を射出することのできる素子を構成することで、用途に応じたスペクトルを示す光を実現することができる。
【００１２】
また、上記の構成において、第一ＬＥＤ素子及び第二ＬＥＤ素子の光取り出し面側が一括して封止されていても構わない。このように構成されることで、異なる波長の光を射出する複数のＬＥＤ素子が１パッケージ内に搭載されているため、小型の光源が実現できると共に、製造工程の簡素化が図られる。
【００１３】
なお、上記の構成において、第二ＬＥＤ素子を複数備えるものとしても構わない。この場合において、複数の第二ＬＥＤ素子のうち、少なくとも一部の素子が異なる波長の光を射出する構成としても構わない。
【００１４】
ここで、前記第一ＬＥＤ素子から射出され前記蛍光体を介して前記光取り出し面から放射される光のスペクトル幅は、前記第二ＬＥＤ素子から射出され前記光取り出し面から放射される光のスペクトル幅よりも広いものとしても構わない。蛍光体を介して取り出される第一ＬＥＤ素子由来の光は広いスペクトルを示し、蛍光体を介さずに取り出される第二ＬＥＤ素子由来の光は狭いスペクトルを示すことで、用途に応じた波長範囲におけるブロードなスペクトルを示す光が実現される。
【００１５】
また、前記ＬＥＤ光源は、前記基板上において、前記第一ＬＥＤ素子が載置されている領域と前記第二ＬＥＤ素子が載置されている領域の間に、前記材料膜を収容するための段差部が設けられているものとしても構わない。
【００１６】
もし、第二ＬＥＤ素子側に蛍光体を含む材料膜が流出すると、第二ＬＥＤ素子からの射出光の一部が蛍光体で変換されたり、予定されていない箇所に前記材料膜が付着することによって第二ＬＥＤ素子から放射される光の強度を低下したりする可能性があり、この結果、所望のスペクトル分布を示す光が得られないおそれがある。これに対し、上記構成によれば、製造時に当該段差部に蛍光体を含む材料膜を収容することで、第一ＬＥＤ素子のみを前記材料で被覆することができ、第二ＬＥＤ素子側に前記材料が流出するのを抑制することができる。
【００１７】
前記段差部は種々の構成で実現することができる。
【００１８】
一例としては、前記基板上において、前記第一ＬＥＤ素子の載置位置が前記第二ＬＥＤ素子の載置位置よりも低く構成されることで、両載置位置の間に前記段差部が形成されるものとすることができる。また、別の一例としては、前記基板上において、前記第一ＬＥＤ素子の載置位置と前記第二ＬＥＤ素子の載置位置の間に壁部を有し、当該壁部によって前記段差部が形成されるものとすることができる。
【００１９】
また、本発明は、基板と、前記基板上に載置された第一ＬＥＤ素子と、前記基板上に載置された第二ＬＥＤ素子とを有し、
前記第一ＬＥＤ素子は、少なくとも光取り出し面側において蛍光体を含む材料膜で被覆されることで、前記第一ＬＥＤ素子から射出された光が前記蛍光体を介して前記光取り出し面から放射可能であり、
前記第二ＬＥＤ素子は、当該第二ＬＥＤ素子から射出された光が前記蛍光体を介さずに前記光取り出し面から放射可能であるＬＥＤ光源の製造方法であって、
前記基板上に、前記第一ＬＥＤ素子及び前記前記第二ＬＥＤ素子を、当該第一ＬＥＤ素子及び当該第二ＬＥＤ素子の間に段差部を介在させて載置する工程（ａ）と、
前記工程（ａ）の後、前記段差部に前記材料膜を充填することで、前記第二ＬＥＤ素子が載置されている領域には前記材料膜を流出させることなく前記第一ＬＥＤ素子を前記材料膜で被覆する工程（ｂ）とを備えたことを特徴とする。
【００２０】
上記の方法によれば、第二ＬＥＤ素子側に蛍光体を含む材料の流出を抑制しながらも、簡易な工程で、用途に応じたスペクトルを示す光を放出することのできるＬＥＤ光源が実現できる。
【００２１】
ここで、前記段差部は、少なくとも前記工程（ｂ）の開始前の時点で形成されていればよく、前記工程（ｂ）の終了後には当該段差部が存在していても存在していなくても構わない。
【００２２】
また、前記工程（ｂ）の後、前記第一ＬＥＤ素子及び前記第二ＬＥＤ素子の前記光取り出し面側を封止する工程（ｃ）を備えるものとしても構わない。
【発明の効果】
【００２３】
本発明によれば、用途に応じたスペクトルを示す光を放射することのできるＬＥＤ光源が実現される。
【図面の簡単な説明】
【００２４】
【図１】異なる波長の光を射出するＬＥＤ素子を複数備えたＬＥＤ光源から放射される光のスペクトルの一例と、太陽光のスペクトルを並べて図示したものである。
【図２】ＬＥＤ光源の一実施形態を模式的に示す斜視図である。
【図３】ＬＥＤ光源の一実施形態を模式的に示す別の図面である。
【図４】ＬＥＤ光源の一実施形態を模式的に示す別の図面である。
【図５】第一ＬＥＤ素子と第二ＬＥＤ素子に対して電流を供給したときのＬＥＤ光源から放射された光のスペクトル分布を、太陽光のスペクトルに並べて図示したものである。
【図６】ＬＥＤ光源から放射される光のスペクトル分布の一例を示す図面である。
【図７】ＬＥＤ光源の別の実施形態を模式的に示す図面である。
【発明を実施するための形態】
【００２５】
ＬＥＤ光源及びその製造方法の実施形態につき、図面を参照して説明する。なお、各図において図面の寸法比と実際の寸法比は必ずしも一致しない。
【００２６】
図２は、ＬＥＤ光源の一実施形態を模式的に示す斜視図である。ＬＥＤ光源１は、基板２上に複数のＬＥＤ素子が載置されており、これらのＬＥＤ素子が不図示の封止材によって一括して封止され、ケース３によって１パッケージ化されている。なお、ケース３には光取り出し面１０が設けられており、この光取り出し面１０から光が放射される。基板２は例えばアルミ基板を採用することができ、ケース３は例えばＦＲ−４（Flame Retardant Type 4）を採用することができる。図２においてケース３の外側には各ＬＥＤ素子に対して電流を供給するための給電端子４が複数設けられている。
【００２７】
図３は、図２からケース３の一部分を透過させて図示した図面である。図３において、（ａ）は斜視図であり、（ｂ）は光取り出し面側から見た平面図である。図３に示すように、本実施形態におけるＬＥＤ光源１は、中央部に一つのＬＥＤ素子２１と、その周囲に複数のＬＥＤ素子２２を備えている。なお、ＬＥＤ素子２１は、蛍光体を含む材料膜３０で被覆されており、図３はこの材料で被覆された状態が図示されている。一方、ＬＥＤ素子２２は材料膜３０で被覆されていない。
【００２８】
図４は、図３から材料膜３０の図示を省略した図面である。図４に示すように、本実施形態では、基板２上におけるＬＥＤ素子２１の高さ位置が、ＬＥＤ素子２２の高さ位置よりも低く構成されている。すなわち、ＬＥＤ素子２１が載置されている領域と、ＬＥＤ素子２２が載置されている領域との間に、段差部２５が設けられている。
【００２９】
図４に示すように、基板２上の高さ位置の低い領域にＬＥＤ素子２１を載置し、ＬＥＤ素子２１よりも高さ位置の高い領域にＬＥＤ素子２２を載置する。そして、ＬＥＤ素子２１を覆うように、段差部２５が設けられることで一段低くなった領域に、蛍光体を含む材料膜３０を充填させる（図３参照）。このとき、ＬＥＤ素子２２側に材料膜３０が流出しないよう、投入する材料膜３０の量が制御される。より具体的には、材料膜３０は、ＬＥＤ素子２１の光取り出し面側を十分被覆でき、且つ段差部２５を超えることのないような量に制御される。これにより、ＬＥＤ素子２１にのみ材料膜３０が被覆され、ＬＥＤ素子２２側へは材料膜３０が流出しないようにすることができる。
【００３０】
なお、ＬＥＤ素子２１が「第一ＬＥＤ素子」に対応し、ＬＥＤ素子２２が「第二ＬＥＤ素子」に対応する。以下では、ＬＥＤ素子２１を「第一ＬＥＤ素子２１」と記載し、ＬＥＤ素子２２を「第二ＬＥＤ素子２２」と記載する。
【００３１】
本実施形態では、一例として、第一ＬＥＤ素子２１は、青色光を射出するＬＥＤ素子としている。ただし、第一ＬＥＤ素子２１からの射出光は、蛍光体を含む材料膜３０を通過する過程で、ブロードな波長成分を含む光へと波長変換される。なお、第一ＬＥＤ素子２１の数は１つとしているが、例えば２以上備えても構わない。また、発光波長は青色に限定されるものではなく、紫外領域であっても構わないし、他の波長域であっても構わない。
【００３２】
本実施形態では、一例として、８つの異なる波長の光を射出するＬＥＤ素子で第二ＬＥＤ素子２２を構成している。ただし、第二ＬＥＤ素子２２の数は８つに限定されるものではなく、例えば１つでも構わないし、９つ以上であっても構わない。また、第二ＬＥＤ素子２２が複数のＬＥＤ素子で構成される場合において、各ＬＥＤ素子の発光波長が同一であっても構わないし、一部のＬＥＤ素子が異なる波長であっても構わない。
【００３３】
また、本実施形態のＬＥＤ光源１では、電流を供給する給電端子４を調整することで、第二ＬＥＤ素子２２を構成する８つのＬＥＤ素子のうち、点灯させるＬＥＤ素子を制御することができる。ただし、このような機能は必ずしも必要ではない。
【００３４】
図５は、第一ＬＥＤ素子２１、及び第二ＬＥＤ素子２２のうち発光波長４６０ｎｍの素子に対して電流を供給したときのＬＥＤ光源１から放射された光のスペクトル分布（ａ）を、太陽光のスペクトル（ｂ）に並べて図示したものである。図１のスペクトル分布と比較すると、本実施形態のＬＥＤ光源１によれば、従来のＬＥＤ光源よりも太陽光のスペクトルに近似したスペクトル分布を示す光が実現できていることが分かる。
【００３５】
なお、図５では、第二ＬＥＤ素子２２のうち、発光波長４６０ｎｍの素子にのみ電流を供給した場合のスペクトル分布を示したが、第二ＬＥＤ素子２２として配置された各素子の発光波長や、実際に電流を供給する対象となる素子の発光波長を適宜調整することで、図５に示すＬＥＤ光源１のスペクトル分布の波長域を適宜調整することができる。この場合においても、ＬＥＤ光源１からは、第一ＬＥＤ素子２１から射出され、蛍光体を含む材料膜３０を通過したブロードな波長成分を含む光が放出されるため、広い波長帯において一定値以上の光強度を示す光源を実現することができる。
【００３６】
一例として、図６に第一ＬＥＤ素子２１と、相互に発光波長の異なる８つの第二ＬＥＤ素子２２（２２ａ，２２ｂ，２２ｃ，２２ｄ，２２ｅ，２２ｆ，２２ｇ，２２ｈ）に対して電流を供給したときのスペクトル分布を示す。なお、上述した図３及び図４では、このように第二ＬＥＤ素子２２を８つ備える場合の構造が一例として図示されている。図６によれば、第一ＬＥＤ素子２１のスペクトル分布は、（１）３８０ｎｍ〜４５０ｎｍ、（２）４７０ｎｍ〜５３０ｎｍ、（３）６６０ｎｍ〜８００ｎｍの各波長域の発光強度が他の波長域に比べ相対的に低いことが分かる。そこで、上記（１）〜（３）の各波長域の発光強度を補填するために、第二ＬＥＤ素子２２（２２ａ〜２２ｈ）から射出される光の波長域が選択される。
【００３７】
具体的な例として、図６では、第二ＬＥＤ素子２２ａ，２２ｂ，２２ｃが上記（１）の波長域に対応する光を射出し、第二ＬＥＤ素子２２ｄが上記（２）の波長域に対応する光を射出し、第二ＬＥＤ素子２２ｅ、２２ｆ、２２ｇ、２２ｈが上記（３）の波長域に対応する光を射出する場合が示されている。つまり、図６では、８個の第二ＬＥＤ素子２２（２２ａ〜２２ｈ）を用いることにより、第一ＬＥＤ素子２１の発光強度の低い波長域を補填している。さらに、第一ＬＥＤ素子２１のスペクトル分布において発光強度の低い波長域を補填するため、第二ＬＥＤ素子２２を構成する各ＬＥＤ素子のスペクトル幅は、第一ＬＥＤ素子２１のスペクトル幅よりも狭いことが好ましい。これにより、第一ＬＥＤ素子２１及び第二ＬＥＤ素子２２を含むＬＥＤ光源１から射出される光としては、極めて太陽光のスペクトルに近い光が実現できていることが分かる。なお、ＬＥＤ光源１が備える第二ＬＥＤ素子２２の数は当然に８つに限定されるものではなく、１つでも構わないし、２以上の複数個でも構わない。
【００３８】
なお、本実施形態のＬＥＤ光源１は、第一ＬＥＤ素子２１を第二ＬＥＤ素子２２よりも低い位置に設けることで、製造時に蛍光体を含む材料膜３０が第二ＬＥＤ素子２２側へと流出することを防止していた。これは、もし、第二ＬＥＤ素子２２側に蛍光体を含む材料膜３０が流出すると、第二ＬＥＤ素子２２からの射出光の一部が蛍光体で変換されたり、予定されていない箇所に材料膜３０が付着することによって第二ＬＥＤ素子２２から放射される光の強度を低下したりする結果、ＬＥＤ光源１から所望のスペクトル分布を示す光が得られなくなるのを防ぐ狙いがある。
【００３９】
よって、同様に、製造時において蛍光体を含む材料膜３０によって第一ＬＥＤ素子２１を被覆する際、第二ＬＥＤ素子２２側に当該材料膜３０が流出するのを抑制する機構を備えていれば、図２〜図４に示す構成には限定されない。図７は別実施形態におけるＬＥＤ光源の構成を模式的に示す図面であり、（ａ）が斜視図に対応し、（ｂ）が光取り出し面かみた平面図に対応する。図７に示すＬＥＤ光源１は、第一ＬＥＤ素子２１と第二ＬＥＤ素子２２が、基板２上のほぼ同じ高さ位置に配置されている。ただし、第一ＬＥＤ素子２１と第二ＬＥＤ素子２２の間に、壁部２６が設けられている。より詳細には、第一ＬＥＤ素子２１の外周を取り囲むように壁部２６が設けられており、壁部２６の更に外側に第二ＬＥＤ素子２２が配置されている。なお、図７に示す構成では、第二ＬＥＤ素子２２の外周に壁部２７が更に設けられているが、この壁部２７は必ずしも必要ではない。
【００４０】
このような構成においても、第一ＬＥＤ素子２１及び第二ＬＥＤ素子２２を基板２上に載置した後、壁部２６の内側の空間を充填するように蛍光体を含む材料膜３０を流入させることで、第二ＬＥＤ素子２２側には材料膜３０を流出させることなく第一ＬＥＤ素子２１のみを被覆することができる。
【００４１】
なお、図７に示すＬＥＤ光源１では、給電端子４の図示を省略しているが、例えば基板２の裏面に設けても構わないし、他の実施形態のようにＬＥＤ素子が配置されている領域の外側に設けても構わない。
【００４２】
また、上記各実施形態で示したＬＥＤ光源１は、第一ＬＥＤ素子２１を基板２上のほぼ中央部分に載置し、第二ＬＥＤ素子２２を第一ＬＥＤ素子２１の周りに載置した構成であった。しかし、ＬＥＤ光源１において、第一ＬＥＤ素子２１と第二ＬＥＤ素子２２の設置の態様は上記実施形態の構成に限定されるものではない。
【００４３】
また、上記各実施形態で示したＬＥＤ光源１は、材料膜３０を第二ＬＥＤ素子２２側に流出させないための機構（段差部２５、壁部２６）を備える構成とした。しかし、材料膜３０を充填させる時点において前記の機構が備えられていればよく、材料膜３０の充填後において、前記の機構が取り外されるか、又は段差部２５が存在しない状態にされることにより、完成品としてのＬＥＤ光源１には段差部２５や壁部２６が備えられていない構成とすることも可能である。
【符号の説明】
【００４４】
１      ：    ＬＥＤ光源
２      ：    基板
３      ：    ケース
４      ：    給電端子
１０      ：    光取り出し面
２１      ：    第一ＬＥＤ素子
２２      ：    第二ＬＥＤ素子
２５      ：    段差部
２６      ：    壁部
２７      ：    壁部
３０      ：    蛍光体を含む材料膜
【図１】
2016096223.tif 000003
【図２】
2016096223.tif 000004
【図３】
2016096223.tif 000005
【図４】
2016096223.tif 000006
【図５】
2016096223.tif 000007
【図６】
2016096223.tif 000008
【図７】
2016096223.tif 000009